(57)【要約】  【課題】  トイレ等のドアに多く採用される片開きの開き戸において、ロック機構が故障した場合でも内側からドアを開けることができるようにすることを課題とする。  【解決手段】  ドア板の側部開放端において幅方向に出没する突起と、ドア枠側に固定される、前記突起に係合する係合部とによりドア板を固定するロック機構を有する片開きの開き戸において、ドアの内側からの所定操作により、少なくとも係合状態の前記突起と前記係合部との係合が外れる長さだけ前記ドア板が幅方向に縮むようにする。【選択図】  図４
2006009572.tif 000002
【特許請求の範囲】
【請求項１】
ドア板の側部開放端において幅方向に出没する突起と、ドア枠側に固定される、前記突起に係合する係合部とにより前記ドア板を固定するロック機構を有する片開きの開き戸であって、
ドアの内側からの所定操作により、少なくとも係合状態の前記突起と前記係合部との係合が外れる長さだけ前記ドア板が幅方向に縮むことを特徴とする非常用開放機構付き開き戸。
【請求項２】
前記ドア板は、幅方向に３枚以上の板材に分割され、この板材同士は、折りたたみ可能、かつ、開放端を構成する板材が平行移動するように、互いに回動自在に連結されることにより、前記ドア板が幅方向に縮むように形成される請求項１に記載の非常用開放機構付き開き戸。
【請求項３】
前記ドア板は、幅方向に４枚の板材に分割されるものであって、
前記ドア板の幅とほぼ同じ長さを有し、開放端を構成する板材の移動を規制する溝を有するガイド部材が、ドア枠に回動可能に固定される板材に固定される
請求項２に記載の非常用開放機構付き開き戸。
【請求項４】
所定以下の力によっては前記板材同士が折りたたまれる方向に移動しないように、前記板材の少なくとも１枚を固定する固定手段を設けた請求項２又は３に記載の非常用開放機構付き開き戸。
【発明の詳細な説明】
【技術分野】
【０００１】
本発明は錠をおろすことができる片開きの開き戸であって、錠が故障した場合などの非常時に錠を開放して戸を開くことができるようにした開き戸に関する。
【背景技術】
【０００２】
トイレ等の室内のドアの多くは片開きの開き戸が採用されている。これらには、多くの場合、ドアノブ部分にデッドボルトによるロック機構や、ラッチを固定するロック機構が設けられている。これらの機構は機械であるので、稀に、故障し人が室内に閉じ込められてしまうことがある。このような場合、内部からドアを開けることは困難であり、外部の救援により錠を破壊する等の方法によってドアを開けることが一般的である。  
【発明の開示】
【発明が解決しようとする課題】
【０００３】
しかし、室外に人がいないような場合は、長時間ドアの内部に閉じ込められることになり精神的負担が大きく、数日間閉じ込められるような場合、死に至る場合も考えられる。
本発明は、このような問題に鑑みて、トイレ等のドアに多く採用される片開きの開き戸において、ロック機構が故障した場合でも内側からドアを開けることができるようにすることを課題とする。
【課題を解決するための手段】
【０００４】
上記課題を解決するために、本発明は次のような構成を有する。
請求項１に記載の発明は、ドア板の側部開放端において幅方向に出没する突起と、ドア枠側に固定される、前記突起に係合する係合部とによりドア板を固定するロック機構を有する片開きの開き戸において、ドアの内側からの所定操作により、少なくとも係合状態の前記突起と前記係合部との係合が外れる長さだけ前記ドア板が幅方向に縮むことを特徴とする非常用開放機構付き開き戸である。
請求項２に記載の発明は、前記非常用開放機構付き開き戸において、前記ドア板は、幅方向に３枚以上の板材に分割されて、この板材同士は、折りたたみ可能、かつ、開放端を構成する板材が平行移動するように、互いに回動自在に連結されることにより、前記ドア板が幅方向に縮むように形成されるものである。
請求項３に記載の発明は、請求項２に記載の非常用開放機構付き開き戸において、前記ドア板は、幅方向に４枚の板材に分割されるものであって、ドア板の幅とほぼ同じ長さを有し、開放端を構成する板材の移動を規制する溝を有するガイド部材が、ドア枠に回動自在に固定される板材に固定されるものである。
請求項４に記載の発明は、前記非常用開放機構付き開き戸において、所定以下の力によっては前記板材同士が折りたたまれる方向に移動しないように、前記板材の少なくとも１枚を固定する固定手段を設けたものである。
【発明の効果】
【０００５】
請求項１に記載の発明は、ドアの内側からの所定の操作によりドア板が幅方向に縮み、これによりロック機構を構成する突起と係合部との係合が外れるので、ロック機構が故障しても内側からロック機構を解除してドアを開けることができる。
請求項２に記載の発明は、ドア板が幅方向に分割し折りたたみ可能に連結することでドア板を幅方向に縮むように形成したので、複雑な機構を有することなく簡易に緊急時のロック開放機構を形成することができる。
請求項３に記載の発明は、ガイド部材を設けることにより、通常の状態でのドア板が安定するとともに、ドア板が縮む際の開放端を構成する板材の動作を滑らかにすることができる。
請求項４に記載の発明は、所定以下の力によっては板材同士が折りたたまれることがないので、通常の使用では発生しないような力に所定の力を設定することで、不意にロック機構が開放されてしまうことを防ぐことができる。
【発明を実施するための最良の形態】
【０００６】
以下、本発明の実施形態について、図面を参照しながら説明する。
図１に本実施形態に係る非常用開放機構付き開き戸Ｘの外部側に位置する面から見た一部破断斜視図を示し、図２に非常用開放機構付き開き戸Ｘの内部側に位置する面から見た一部破断斜視図を示す。非常用開放機構付き開き戸Ｘは、ドア板１０の一方の側端部がドア枠２０の側縁部とヒンジ１０ａにより連結される片開きの開き戸である。
ドア板１０は、幅方向に４枚の板材に分割され、各板材は内部の桟と表面の化粧板とにより箱状に形成されている。それぞれの板材は、開放端を構成する開放端板部１１、開放端板部１１にヒンジ１１ａにより内側に回動可能に連結される第一折畳板部１２、ドア枠にヒンジ１０ａにより内側に回動可能に連結される回動端板部１４、回動端板部１４にヒンジ１３ａにより内側に回動可能に連結される第２折畳板部１３とから構成される。また、第１折畳板部１２と第２折畳板部１３とはヒンジ１２ａにより連結され、外側で互いに近づくように連結されている。このような構成により、ドア板１０は４枚の板材が平行な状態において内側へ開くドア板となるとともに、第１折畳部１２と第２折畳部１３とを互いに近づくように折りたたむことで、幅方向に縮むことができる。
第２折畳板部１３の内側には断面コの字状の取っ手１３ｂが固定されている。また、開放端板部１１にはドアノブ部３０が設けられている。ドアノブ部３０は、両主表面に設けられるハンドル３１、ハンドル３１の回転により出没する側部端面に設けられるラッチ３１ａ、ドアをロックするためのロック摘み３２、ロック摘み３２ににより出没するように操作される側部端面に出没可能に設けられるデッドボルト３２ａとから構成される。なお、図ではドア枠２０の一部が破断しているために示されていないが、ドア枠２０のラッチ３１ａ、デッドボルト３２ａに相対する面には、それぞれラッチ係合穴とデッドボルト係合穴が形成されている。
【０００７】
ドア板１０の上縁および下縁にはガイド部材１５、１６が設けられている。ガイド部材１５、１６はステンレスの板材を折り曲げることにより形成される。ガイド部材１５、１６は、ドア板１０よりもやや幅のある溝が形成されるように断面コの字に折り曲げられており、ドア板１０の上縁および下縁に係合した際に、内側の第１折畳板部１２、第２折畳板部１３、回動端板部１４に面する部分には、ドア板１０が幅方向に縮む際にガイド部材１５が邪魔にならないように、切り欠き１５ａ、１６ａが形成されている。このガイド部材１５、１６は回動端板部１４に固定されている。ガイド部材１５、１６を設けることにより、ドア板１０を平板状態で安定させることができる。即ち、ドア板１０が平板な板状態のときにドア板１０を開くためにドアノブ部３０のハンドルを内側へ動かすと、開放端板部１１はガイド部材１５、１６の溝内部に位置するので、ヒンジ１１ａで第１折畳板部１２に連結されていても開放端板部１１はヒンジ１１ａ部分で回動することはない。また、ドア板１０を閉じるためにドアノブ部３０のハンドルを外側へ動かす場合にも、開放端板部１１はガイド部材１５、１６の溝内部に位置し、また、第１折畳板部１２もガイド部材１５、１６の外側に位置する板部分に当接するので、第１折畳板部１２が、ヒンジ１３ａで第２折畳板部１３に連結されていても、第２折畳板部１３はヒンジ１３ａ部分で回動することはない。そして、ドア板１０を折りたたむ際には、ガイド部材１５、１６により、開放端板部１１は、ガイド部材１５、１６の溝に拘束されて回動端板部１４と同一面上を平行移動することになる。
図３に図１におけるＡ−Ａ断面図を示す。図に示すようにガイド部材１５と、これに当接する第１折畳板部１２、第２折畳板部１３との間には互いに吸着し合うように、それぞれ磁石１５ｂ、１５ｃが固定され固定手段を構成している。磁石１５ｂと磁石１５ｃとは比較的磁力の強い磁石が使用され、通常の使用では動かない程度の力で互いに離れないようになっている。このような固定手段は下方のガイド部材１６側にも設けられている。
【０００８】
次に、以上のような構成を有する非常用開放機構付き開き戸Ｘの使用方法について説明する。ドアノブ部３０のロック摘み３２とこれに連動するデッドボルト３２ａが故障していない状態においては、図１、図２に示すようにドア板１０は平板状で使用され、ドアノブ部３０のハンドル３１を操作して、ヒンジ１０ａを中心に回動することにより、開閉動作がなされる。そして、ドアを閉めてロック摘み３２を操作してデッドボルト３２ａを突出させてロック状態としたときに、ロック摘み３２からデッドボルト３２ａに至る機構やハンドル３１等が故障すると、内側にいる人はこのままではドア板１０の内側に閉じ込められてしまうことになる。このような状態になった場合には、閉じ込められた人は、第２折畳板部１３に取り付けられた取っ手１３ｂを強く内側へ引けばよい。これにより、ガイド部材１５および１６と第１折畳板部１２、第２折畳部材１３との磁石による固定が解除され、第１折畳板部１２、第２折畳板部１３は内側に折れ曲がるとともに、開放端板部１１が平行移動し、図４の斜視図に示すようにドア板１０の幅が縮むことになる。これにより、デッドボルト３２ａによるドア枠への係合が解かれるので、ドア板１０を拘束するものがなくなりドア板１０を開けて内部の人は外部へ脱出することができる。また、その後、ロック機構部分を修理すれば、再び図１、図２に示すようにドア板１０を平板状として、通常のドアとして使用することができる。
【０００９】
なお、本実施形態では、内側へ開くドアを示したが、外側へ開くドアでも同様の機構を設けることができる。また、ドア板を構成する板体の枚数や折れ曲がる方向も適宜変更することができる。板体が外側に折れ曲がるようにする場合には、取っ手１３ｂを操作する代わりに外側に折れ曲がる板体を押す操作によりドア板を縮めるようにしてもよい。さらに、本実施形態では、固定手段として磁石を用いたが、面ファスナーを用いたり、接着剤を用いる等種々の方法を採用することができる。
【図面の簡単な説明】
【００１０】
【図１】実施形態に係る非常用開放機構付き開き戸の表側から見た一部破断斜視図である。
【図２】実施形態に係る非常用開放機構付き開き戸の裏側から見た一部破断斜視図である。
【図３】図１におけるＡ−Ａ断面図である。
【図４】実施形態に係る非常用開放機構付き開き戸の動作を示す裏側から見た一部破断斜視図である。
【符号の説明】
【００１１】
Ｘ      非常用開放機構付き開き戸
１０    ドア板
１１    開放端板部
１２    第１折畳板部
１３    第２折畳板部
１４    回動端板部
１５ｂ、１５ｃ  磁石
２０    ドア枠
３０    ドアノブ部
３１    ハンドル
３１ａ  ラッチ
３２    ロック摘み
３２ａ  デッドボルト
【図１】
2006009572.tif 000003
【図２】
2006009572.tif 000004
【図３】
2006009572.tif 000005
【図４】
2006009572.tif 000006